Podtech/llm-jp-corpus-v4-ja_patent huggingface dataset:
(57)【要約】【課題】  本発明は、水中撮影機材が使用中に取り付け箇所で緩んで撮影機材が安定しなかったり、又水中で撮影機材の取り付け箇所を変更する必要が生じた場合、これを可能とし取り付けが強固な水中撮影機材のコンバータ取付け装置を提供する課題にある。【解決手段】  本発明は、水中のストロボ或いはライトなどが取り付けられるブラケットシューと、このブラケットシューの取り付けねじが挿入され、吊り下げベルトが引っ掛けられるラニアードと、主に水中用の防水ケースが取り付けられるグリップの天台と、前記ラニアードと前記天台との間に回動方向に位置を調節可能な構造を有する取り付け板とからなり、前記取り付け板の前記天台に取り付けられる箇所に一対の円弧状の開口を設けたことを特徴とする水中撮影機材のコンバータ取り付け装置。【選択図】図１
2010191028.tif 000002
【特許請求の範囲】
【請求項１】
水中のストロボ或いはライトなどが取り付けられるブラケットシューと、このブラケットシューの取り付けねじが挿入され、吊り下げベルトが引っ掛けられるラニアードと、主に水中用の防水ケースが取り付けられるグリップの天台と、前記ラニアードと前記天台との間に回動方向に位置を調節可能な構造を有する取り付け板とからなり、前記取り付け板の前記天台に取り付けられる箇所に一対の円弧状の開口を設けたことを特徴とする水中撮影機材のコンバータ取り付け装置。
【発明の詳細な説明】
【技術分野】
【０００１】
本発明は、水中撮影機材に用いるコンバータの取付位置を自由に変更でき、変更箇所で強固に固定できる水中撮影機材のコンバータ取付装置に関するものである。
【背景技術】
【０００２】
ダイバーが水中などで使用する水中撮影機材は扱うとき、水流などの抵抗で或いは何らかの原因で取り付け箇所が緩んで取り付け方向が変わったり、或いは動揺して安定しなかったり、取り付け箇所から外れたりすることがある。また水中で取り付け位置を変えることがあって、ドライバー一本で取り付け位置の調節ができ同時に強固に固定できることがのぞまれる。結局、コンバータの取付板の位置を容易に変更できたり、変更位置での強固な取付けが望まれている。
【０００３】
特許文献１には水中カメラケースのグリップを着脱可能にして、無線モジュールユニットとして構成し、カメラの機種が異なっても共通に使用するようなものがあるが、この文献は水中撮影機材の取り付け箇所が緩んで機材の位置が変わってしまうことを防止するものでもなく、又、途中で取り付け位置を変更できるものでもないものである。従って、本発明が期待する機材の取り付けを強固にできるものでもなく、加えて取り付け位置を変更して  取り付けができるものでもない。
【特許文献１】特開２００８−１９１４１９号公報
【発明の開示】
【発明が解決しようとする課題】
【０００４】
本発明が解決しようとする問題点は、水中撮影機材が使用中に取り付け箇所で緩んで撮影機材が安定しなかったり、又水中で撮影機材の取り付け箇所を変更する必要が生じた場合、これを可能とし取り付けが強固な水中撮影機材のコンバータ取付け装置を提供することである。
【課題を解決するための手段】
【０００５】
本発明は課題解決の手段として、水中のストロボ或いはライトなどが取り付けられるブラケットシューと、このブラケットシューの取り付けねじが挿入され、吊り下げベルトが引っ掛けられるラニアードと、主に水中用の防水ケースが取り付けられるグリップの天台と、前記ラニアードと前記天台との間に回動方向に位置を調節可能な構造を有する取り付け板とからなり、前記取り付け板の前記天台に取り付けられる箇所に一対の円弧状の開口を設けたことを特徴とするものである。
【発明の効果】
【０００６】
請求項１記載の発明によれば、水中撮影機材が使用中に取り付け箇所で緩んで撮影機材が安定しなかったり、又水中で撮影機材の取り付け箇所を変更する必要が生じた場合、これを可能とし取り付けが強固な水中撮影機材のコンバータ取付け装置を提供できる。
【発明を実施するための最良の形態】
【０００７】
本発明は、吊り下げベルト等を取り付けるラニアードの金具とグリップの天台との間に取付け配置されるコンバータの取付け板に半円形の長穴である開口を設け、この開口内をストロボ或いはライトなどを取り付けるブラケットのねじを通し、グリップに固定することで、開口で取付け板の方向を調節できる構造にし、同時に強固な取付けが実現できるもので、取付け板の方向の調節はブラケットの２本のねじの弛緩、緊締によって可能にした構造である。
【０００８】
以下に、本発明の実施例に係る水中撮影機材のコンバータ取付け装置について図１を参照して詳細に説明する。
【０００９】
本実施例に係るコンバータの取付け板１は中央で屈曲された平板のもので図示しないが先端にはコンバータが取り付けられる。コンバータ取付けの反対側には半円形の二個の開口２，３が形成してあって、この二個の開口は位置的にグリップ４の天台５のねじ穴６１〜６６のいずれかに対応している。グリップ４はカメラなどを内臓した防水ケースを取り付けたもので、撮影者が掴むようになっている。
【００１０】
前記取付け板１の上にはラニアード７があって、その穴８には吊り下げベルトなどが取り付けられる。又ラニアード７には孔９１、９２が設けてあってブラケットシュー１０のねじ１１、１２が通るようになっている。前記ブラケットシュー１０はストロボ或いはライトなどが取り付けられるもので、嵌合構造になっている。
【００１１】
次に、これらの部材を組み付ける場合はブラケットシュー１０のねじ１１、１２をラニアード７の孔９１、９２に通し、更に下のコンバータの取付け板１の開口２，３を通し、グリップ４の天台５のねじ穴６１〜６６のいずれかにねじ込む。この場合、ねじ１１は開口３を通り、ねじ１２は開口２を通すと、ねじ１１はねじ穴６１にねじ込まれ、ねじ１２はねじ穴６４にねじ込まれるようになる。
【００１２】
この状態でねじ１１、１２をねじ込み固定すればブラケット１０、ラニアード７、取付け板１、天台５の各々は相互に固定される。取付け板１即ちこれに取り付けたコンバータの方向を調節する場合はねじ１１，１２を緩めて取付け板１を水平方向（図示矢印A方向）にいずれかに回動させ位置を決めた後、ねじ１１，１２を締めつけることで所望の位置に設定できるものである。
【００１３】
しかして、取り付け板１に半円形の一対の開口を形成することにより撮影機材の位置を希望の位置に設定変更できるもので、しかもドライバー１本で簡便に可能であることが特徴である。水中という不自由な環境でも所望の位置で水中撮影を実現できるものである。
【産業上の利用可能性】
【００１４】
本発明の取付け装置は水中機材の自由な位置の設定に大変便利でダイバーには歓迎されるものである。
【図面の簡単な説明】
【００１５】
【図１】本発明の実施例を説明するための水中撮影機材のコンバータ取付け装置の分解組み立て概略斜視図である。
【符号の説明】
【００１６】
１          コンバータ取付け板
２、３      開口
４          グリップ
５          天台
７          ラニアード
８          穴
１０        ブラケットシュー
１１、１２  ねじ
６１〜６６  ネジ穴
９１，９２  孔
【図１】
2010191028.tif 000003
【誤訳訂正書】
【提出日】令和3年9月6日(2021.9.6)
【誤訳訂正１】
【訂正対象書類名】明細書
【訂正対象項目名】０００１
【訂正方法】変更
【訂正の内容】
【０００１】
本開示は、患者への輸血に有用な全血の品質を改善するための方法に関する。全血の嫌気的保存により、サイトカインレベルの低下、ならびに２，３−ジホスホグリセレート（２，３−ＤＰＧ）およびアデノシン三リン酸（ＡＴＰ）レベルの改善がもたらされる。改善された血液組成は、癌患者および外傷患者への輸血に有用である。
【誤訳訂正書】
【提出日】令和2年12月4日(2020.12.4)
【誤訳訂正１】
【訂正対象書類名】明細書
【訂正対象項目名】００４３
【訂正方法】変更
【訂正の内容】
【００４３】
１つの実施形態において、第１の端部シール及び第２の端部シールは、プラグ、エンドキャップ、又は、少なくとも１つの空気入口開口を備える調整可能エンドキャップから独立に選択される再密封可能な端部シールである。エンドキャップ及び調整可能エンドキャップは、例えばねじ山構成又はスナップ嵌合結合構成によって装置の長尺本体の残りの部分と回転可能に係合するように取り外し可能に締結されてもよい。プラグは、同じ方法で又は厳しい公差の嵌合によって長尺本体と取り外し可能に締結されてもよい。
【誤訳訂正２】
【訂正対象書類名】明細書
【訂正対象項目名】００５８
【訂正方法】変更
【訂正の内容】
【００５８】
１つの実施形態において、受動蒸発支持材料は、３つ以上の独立した長手方向空気流／蒸気経路を与えるようになっている。経路は、受動蒸発支持材料それ自体を貫く独立した導管として形成されてもよく、又は、経路は、受動蒸発支持材料が蒸気チャンバの内面と接触することによって形成されてもよい。したがって、１つの実施形態において、受動蒸発支持材料は、３つ以上の長手方向導管を備え、この場合、導管は、受動蒸発支持材料内に形成され、又は、蒸気チャンバの内面と共に受動蒸発支持材料によって形成され、又は、それらの組合せである。１つの例が図１０に示されており、この場合、受動蒸発支持材料（２７）は、３つ以上の長手方向導管（２９）を形成するために中心部（２７ｂ）から蒸気チャンバ（２８）の内面まで延びる３つ以上の半径方向アーム（２７ａ）を備える。３つ以上の独立した長手方向空気流／蒸気経路を与えるようになっている受動蒸発支持材料は、より小さいサイズの装置に特に適し得る。
【誤訳訂正３】
【訂正対象書類名】特許請求の範囲
【訂正対象項目名】全文
【訂正方法】変更
【訂正の内容】
【特許請求の範囲】
【請求項１】
患者への送出のためのメトキシフルラン液を収容する吸入器デバイスであって、前記吸入器デバイスが、
（１）空気入口端部及びマウスピース端部を有する密封された長尺本体と、
（２）前記長尺本体の前記空気入口端部を密封する第１の端部シールと、
（３）前記長尺本体の前記マウスピース端部を密封する第２の端部シールと、
（４）メトキシフルラン液が予め充填された受動蒸発支持材料と、
を備え、
前記メトキシフルラン液が貯留時に蒸気を形成するにつれて、前記長尺本体は、前記第１の端部シール及び前記第２の端部シールの開放時に貯留された蒸気を患者に直接に投与するために利用できるように蒸気チャンバを形成し、
前記第１の端部シールは、少なくとも１つの空気入口溝又は穴を更に備える再密封可能な調整可能なエンドキャップであり、前記空気入口溝又は穴は、前記空気入口のサイズが調整可能なように前記再密封可能な調整可能なエンドキャップが開かれる場合に、空気入口開口を形成するように適応され、
前記第２の端部シールは、患者の口内への挿入のために構成される再密封可能な調整可能なエンドキャップであり、前記第２の端部シールはマウスピースチャンバを具備して：
前記第２の端部シールが閉じられる場合に、前記蒸気チャンバが前記マウスピースチャンバからシールされ；
前記第２の端部シールが開かれる場合に、蒸気が、前記マウスピースチャンバの側壁に位置するベントを介し、前記マウスピースチャンバ内に放射状に内側に流れる
ようになっている、吸入器デバイス。
【請求項２】
前記第１のエンドキャップは、前記デバイスの前記長尺本体と回転可能に係合するように取り外し可能に締結される請求項１に記載の吸入器デバイス。
【請求項３】
前記第１のエンドキャップは、前記空気入口開口を閉じるように第１の方向に回転させられるように構成され、前記空気入口開口を開くように第２の方向に回転させられるように構成される請求項２に記載の吸入器デバイス。
【請求項４】
前記第２の端部シールの外側形状は、前記マウスピースチャンバの吸入開口に向かって先細る請求項１〜３のいずれか一項に記載の吸入器デバイス。
【請求項５】
前記第２の端部シールは、前記デバイスの前記長尺本体と回転可能に係合するように取り外し可能に締結される請求項１〜４のいずれか一項に記載の吸入器デバイス。
【請求項６】
前記第２のエンドキャップは、前記蒸気吸入開口を密封するように第１の方向に回転させられるように構成され、前記蒸気吸入開口を開くように第２の方向に回転させられるように構成される請求項５に記載の吸入器デバイス。
【請求項７】
前記第２のエンドキャップは、前記マウスピース端部が閉じられる場合に緊密な密封をもたらすように構成される圧縮性材料と蒸気不透過性フィルム又は箔を具備する詰め物挿入体を備える請求項１〜６のいずれか一項に記載の吸入器デバイス。
【請求項８】
前記受動蒸発支持材料は、ポリプロピレンウィッキングフェルトである請求項１に記載の吸入器デバイス。
【請求項９】
前記受動蒸発支持材料は、３以上の長手方向経路を形成するように前記蒸気チャンバの中心部から内面まで延びる３以上の半径方向アームを備える請求項１に記載の吸入器デバイス。
【請求項１０】
前記デバイスは、前記密封された長尺本体、前記第１の端部シール、前記第２の端部シール、及び前記メトキシフルラン液が予め充填された前記受動蒸発支持材料のみから構成される請求項１に記載の吸入器デバイス。
【手続補正書】
【提出日】令和3年9月6日(2021.9.6)
【手続補正１】
【補正対象書類名】明細書
【補正対象項目名】配列表
【補正方法】追加
【補正の内容】
【配列表】
2021515005000001.app
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
−組成物の全重量に対して、デンプン粉末を少なくとも１０重量％、
−組成物の全重量に対して、セモリナを少なくとも１０重量％、及び
−水を含む組成物であって、
前記デンプン粉末と前記セモリナの重量比が５：１〜１：５である、組成物の押出し成形によって得られる、押出物。
【請求項２】
前記組成物がさらに、水溶性ビタミンを含む、請求項１に記載の押出物。
【請求項３】
−組成物の全重量に対して、デンプン粉末を少なくとも２０重量％、
−組成物の全重量に対して、セモリナを少なくとも２０重量％、
−組成物の全重量に対して、少なくとも１種類の水溶性ビタミンを少なくとも５重量％、
−組成物の全重量に対して、中鎖トリグリセリド（ＭＣＴ）などの少なくとも１種類の潤滑剤を少なくとも１重量％、及び
−組成物の全重量に対して、水を１０〜３０重量％含む組成物であって、
前記デンプン粉末と前記セモリナの重量比が、２：１〜１：２である、組成物の押出し成形によって得られる、請求項１又は２に記載の押出物。
【請求項４】
−組成物の全重量に対して、デンプン粉末を少なくとも１０重量％、
−組成物の全重量に対して、セモリナを少なくとも１０重量％、及び
−水を含む組成物であって、
前記デンプン粉末と前記セモリナの重量比が５：１〜１：５である、組成物の押出し成形を含む、押出物を製造する方法。
【請求項５】
Ｒｈｅｏｍｅｘ  ＰＴＷ１６／２５  ＯＳ二軸スクリュー押出機を使用した（長さ／直径比＝２５；スクリュー回転数＝２００ｒｐｍ；供給速度：３００ｇ／時）場合に、断熱押出し成形を開始して３０分以内で前記押出機のダイにて、少なくとも７０℃の温度に到達するように、前記デンプン粉末の粒径及び前記セモリナの粒径が選択される、請求項４に記載の方法。
【請求項６】
断熱押出し成形中の温度を制御するための、デンプン粉末とセモリナを含む混合物の使用であって、小麦デンプンと前記セモリナの重量比が５：１〜１：５である、使用。
【請求項７】
前記混合物が水溶性ビタミンを含む、請求項６に記載の使用。
【請求項８】
ボブ直径２７．９９ｍｍ及び長さ４２．１０ｍｍを有する同心回転シリンダーをせん断速度１００ｓ−１で使用して、ＭａｌｖｅｒｎレオメーターＡＲ  Ｇ２で温度６０℃にて測定された場合に、前記混合物の全重量に対して前記デンプン粉末１０重量％及び水９０重量％からなる混合物の粘度が、少なくとも０．４Ｐａ・ｓであり、且つ／又は
ボブ直径２７．９９ｍｍ及び長さ４２．１０ｍｍを有する同心回転シリンダーをせん断速度１００ｓ−１で使用して、前記ＭａｌｖｅｒｎレオメーターＡＲ  Ｇ２で温度７０℃にて測定された場合に、前記混合物の全重量に対して前記セモリナ１０重量％及び水９０重量％からなる混合物の粘度が、少なくとも０．０４Ｐａ・ｓである、請求項１、２若しくは３に記載の押出物、又は請求項４若しくは５に記載の方法、又は請求項６若しくは７に記載の使用。
【請求項９】
ボブ直径２７．９９ｍｍ及び長さ４２．１０ｍｍを有する同心回転シリンダーをせん断速度１００ｓ−１で使用して、前記ＭａｌｖｅｒｎレオメーターＡＲ  Ｇ２で測定された場合に、前記混合物の全重量に対して前記セモリナ１０重量％及び水９０重量％からなる混合物の粘度が、７５℃での同一混合物の粘度よりも８５℃にて低く、且つ／又は
ボブ直径２７．９９ｍｍ及び長さ４２．１０ｍｍを有する同心回転シリンダーをせん断速度１００ｓ−１で使用して、ＭａｌｖｅｒｎレオメーターＡＲ  Ｇ２で測定された場合に、前記混合物の全重量に対して前記デンプン粉末１０重量％及び水９０重量％からなる混合物の粘度が、７５℃での同一混合物の粘度よりも８５℃にて低い、請求項１、２、３若しくは８に記載の押出物、又は請求項４、５若しくは８に記載の方法、又は請求項６、７若しくは８に記載の使用。
【請求項１０】
前記セモリナが、ボブ直径２７．９９ｍｍ及び長さ４２．１０ｍｍを有する同心回転シリンダーをせん断速度１００ｓ−１で使用して、前記ＭａｌｖｅｒｎレオメーターＡＲ  Ｇ２で測定された場合に、粒径ｄ（０．９）３００〜５００μｍを有し、且つ／又は
前記デンプン粉末が、ボブ直径２７．９９ｍｍ及び長さ４２．１０ｍｍを有する同心回転シリンダーをせん断速度１００ｓ−１で使用して、前記ＭａｌｖｅｒｎレオメーターＡＲ  Ｇ２で測定された場合に、粒径ｄ（０．９）１０〜３００μｍを有する、請求項１、２、３、８若しくは９に記載の押出物、又は請求項４、５、８若しくは９に記載の方法、又は請求項６、７、８若しくは９に記載の使用。
【請求項１１】
前記デンプン粉末が流動性ではなく、且つ／又は前記デンプン粉末が小麦デンプン粉末である、請求項１、２、３、８、９若しくは１０に記載の押出物、又は請求項４、５、８、９若しくは１０に記載の方法、又は請求項６、７、８、９若しくは１０に記載の使用。
【請求項１２】
前記セモリナがデュラムセモリナである、請求項１、２、３、８、９、１０若しくは１１に記載の押出物、又は請求項４、５、８、９、１０若しくは１１に記載の方法、又は請求項６、７、８、９、１０若しくは１１に記載の使用。
【請求項１３】
前記セモリナが、２０％（ｍ／ｍ）未満の２００μｍふるい分け阻止率を有し、且つ／又は
前記デンプン粉末が、１％（ｍ／ｍ）未満の２００μｍふるい分け阻止率を有する、請求項１、２、３、８、９、１０、１１若しくは１２に記載の押出物、又は請求項４、５、８、９、１０、１１若しくは１２に記載の方法、又は請求項６、７、８、９、１０、１１若しくは１２に記載の使用。
【請求項１４】
前記デンプン粉末と前記セモリナの前記重量比が、２：１〜１：２である、請求項１、２、３、８、９、１０、１１、１２若しくは１３に記載の押出物、又は請求項４、５、８、９、１０、１１、１２若しくは１３に記載の方法、又は請求項６、７、８、９、１０、１１、１２若しくは１３に記載の使用。
【請求項１５】
サッシェ又はスティックパックである、請求項１、２、３、８、９、１０、１１、１２、１３又は１４に記載の押出物を含む容器。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
異性化糖と、アルカリ金属イオン及び／又はアンモニウムイオンを含む少なくとも１種類のアクリロイルジメチルタウレートポリマーと、を含む局所用組成物であって、前記少なくとも１種類のポリマー中の前記アクリロイルジメチルタウレート部位におけるアルカリ金属陽イオンとアンモニウムイオンの比が少なくとも１であることを特徴とする、局所用組成物。
【請求項２】
前記異性化糖の量が、前記局所用組成物の全重量に対して、０．０１〜１０重量％の範囲で選択される、請求項１に記載の局所用組成物。
【請求項３】
前記少なくとも１種類のアクリロイルジメチルタウレートポリマーの量が、前記局所用組成物の全重量に対して、０．０１〜１０重量％の範囲で選択される、請求項１又は２に記載の局所用組成物。
【請求項４】
前記アルカリ金属イオンがナトリウム陽イオンである、請求項１から３のいずれか一項又は複数項に記載の局所用組成物。
【請求項５】
前記少なくとも１種類のアクリロイルジメチルタウレートポリマーが、アクリロイルジメチルタウリンナトリウムポリマーと、アクリロイルジメチルタウリンアンモニウムポリマーとの混合物である、請求項１から４のいずれか一項又は複数項に記載の局所用組成物。
【請求項６】
前記アクリロイルジメチルタウリンナトリウムポリマーと前記アクリロイルジメチルタウリンアンモニウムポリマーとの比（ｗ／ｗ）が、５０：１〜１：１の範囲である、請求項５に記載の局所用組成物。
【請求項７】
前記アクリロイルジメチルタウレートポリマーが、アクリロイルジメチルタウリンナトリウム及び／又はアクリロイルジメチルタウリンアンモニウムと、ビニルモノマーとのコポリマーの群から選択される、請求項１から６のいずれか一項又は複数項に記載の局所用組成物。
【請求項８】
前記ビニルモノマーが、ビニルピロリドン、ベヘネス−２５メタクリレート、ビニルホルムアミド及びヒドロキシエチルアクリレート、並びにその混合物からなる群から選択される、請求項７に記載の局所用組成物。
【請求項９】
前記少なくとも１種類のアクリロイルジメチルタウレートポリマーが、ヒドロキシエチルアクリレート／アクリロイルジメチルタウリンナトリウムコポリマーと、アクリロイルジメチルタウリンアンモニウム／ベヘネス−２５メタクリレートクロスポリマーと、の混合物である、請求項１から８のいずれか一項又は複数項に記載の局所用組成物。
【請求項１０】
Ｏ／Ｗ型エマルジョン、Ｗ／Ｏ型エマルジョン、ゲル、シャンプー製品又はヘアコンディショナーである、請求項１から９のいずれか一項又は複数項に記載の局所用組成物。
【請求項１１】
前記局所用組成物の全重量に対して、水を少なくとも６０重量％含む、ゲルである、請求項１０に記載の局所用組成物。
【請求項１２】
ヒトの皮膚及び／又は頭皮を治療する方法であって、請求項１から１１のいずれか一項又は複数項に記載の局所用組成物と前記皮膚及び／又は頭皮を接触させる工程を含む、方法。
【請求項１３】
局所用組成物における変色を抑制するための、少なくとも１種類のアクリロイルジメチルタウリンナトリウムポリマーの使用であって、前記局所用組成物が、異性化糖及びアクリロイルジメチルタウリンアンモニウムポリマーを含む、使用。
【請求項１４】
異性化糖及びアクリロイルジメチルタウリンアンモニウムポリマーを含む局所用組成物における変色を抑制する方法であって、前記局所用組成物にアクリロイルジメチルタウリンナトリウムポリマーを添加することを含む、方法。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
ポリテトラフルオロエチレンと、
前記ポリテトラフルオロエチレン及び複数のＣｏ２Ｚヘキサフェライト粒子の空隙がないベースでの総体積に対して、４０体積％以上の複数のＣｏ２Ｚヘキサフェライト粒子とを含んでなるヘキサフェライト複合材料において、
前記ヘキサフェライト複合材料は、前記ヘキサフェライト複合材料の総体積に対して１０％以上の気孔率を有し、
前記ヘキサフェライト複合材料は、いずれも５００ＭＨｚで測定した場合に、２．５以上の透磁率及び、０．４以上の透磁率と誘電率の比を有し、
前記透磁率及び誘電率は、１インチ（２５ｍｍ）の同軸エアラインで測定され、ベクトルネットワークアナライザを使用して測定された散乱パラメータからニコルソン・ロス法で抽出される、ヘキサフェライト複合材料。
【請求項２】
複数の前記Ｃｏ２Ｚヘキサフェライト粒子が、４マイクロメートル以上のメジアン粒径を有し、前記メジアン粒径は、ＡＳＴＭ  Ｄ４４６４−１５に従って決定される、請求項１に記載のヘキサフェライト複合材料。
【請求項３】
前記ヘキサフェライト複合材料が、複数の前記Ｃｏ２Ｚヘキサフェライト粒子を６０体積％を超え、かつ９０体積％までにて含む、請求項１に記載のヘキサフェライト複合材料。
【請求項４】
複数の前記Ｃｏ２Ｚヘキサフェライト粒子が、芳香族シラン又はフッ素化脂肪族アルコキシシランの少なくとも１つを含有した表面処理を有する、請求項１に記載のヘキサフェライト複合材料。
【請求項５】
複数の前記Ｃｏ２Ｚヘキサフェライト粒子が、Ａｌ、Ｂａ、Ｂｉ、Ｎｉ、Ｉｒ、Ｍｎ、Ｍｇ、Ｍｏ、Ｎｂ、Ｎｄ、Ｓｒ、Ｖ、Ｚｎ又はＺｒの少なくとも１つを含む、請求項１に記載のヘキサフェライト複合材料。
【請求項６】
前記ヘキサフェライト複合材料が、空隙がないベースでの前記ポリテトラフルオロエチレンと複数のＣｏ２Ｚヘキサフェライト粒子との総体積に対して、５〜６０体積％の前記ポリテトラフルオロエチレンを含む、請求項１に記載のヘキサフェライト複合材料。
【請求項７】
気孔率はヘキサフェライト複合材料の総体積に対して、１５〜５０体積％である、請求項１に記載のヘキサフェライト複合材料。
【請求項８】
請求項１に記載のヘキサフェライト複合材料において、
透磁率は５００ＭＨｚで４．５〜７であること、
透磁率と誘電率の比は、５００ＭＨｚで０．５〜０．９８であること、
前記ヘキサフェライト複合材料は、５００ＭＨｚで４以上の誘電率を有すること、
前記ヘキサフェライト複合材料は、５００ＭＨｚで０．１以下の磁気損失正接を有すること、又は、
前記ヘキサフェライト複合材料は、５００ＭＨｚで０．１以下の誘電損失を有することのうちの少なくとも１つを満たす、ヘキサフェライト複合材料。
【請求項９】
前記ヘキサフェライト複合材料は、ＩＰＣ試験方法６５０，２．４．９に従って測定した場合に、３〜７ｐｌｉの銅結合強度を有する、請求項１に記載のヘキサフェライト複合材料。
【請求項１０】
誘電性フィラー又は繊維層の少なくとも１つをさらに含む、請求項１に記載のヘキサフェライト複合材料。
【請求項１１】
請求項１に記載のヘキサフェライト複合材料を含んでなる物品。
【請求項１２】
前記物品がアンテナである、請求項１１に記載の物品。
【請求項１３】
５〜６０体積％のポリテトラフルオロエチレンと、
４０〜９５体積％の複数のＣｏ２Ｚヘキサフェライト粒子であって、ＡＳＴＭ  Ｄ４４６４−１５に従って決定される４マイクロメートル以上のメジアン粒径を有する複数のＣｏ２Ｚヘキサフェライト粒子とを含んでなるヘキサフェライト複合材料において、
前記ポリテトラフルオロエチレン及び複数のＣｏ２Ｚヘキサフェライト粒子の体積％は、前記ポリテトラフルオロエチレン及び複数のＣｏ２Ｚヘキサフェライト粒子の空隙がないベースでの総体積に対するものであり、
前記ヘキサフェライト複合材料は、前記ヘキサフェライト複合材料の総体積に対して１５〜５０体積％の気孔率を有し、
前記ヘキサフェライト複合材料は、いずれも５００ＭＨｚで測定した場合に、２．５以上の透磁率及び、０．４以上の透磁率と誘電率の比を有し、
前記透磁率及び誘電率は、１インチ（２５ｍｍ）の同軸エアラインで測定され、ベクトルネットワークアナライザを使用して測定された散乱パラメータからニコルソン・ロス法で抽出される、ヘキサフェライト複合材料。
【請求項１４】
ヘキサフェライト複合材料を含んでなるシートを製造する方法において、
前記シートを形成するために、ポリテトラフルオロエチレンと複数のＣｏ２Ｚヘキサフェライト粒子とを含む混合物の、ペースト押出し、流延、又は成形のうちの少なくとも１つの工程を備え、
前記シートは、前記ポリテトラフルオロエチレン及び複数のＣｏ２Ｚヘキサフェライト粒子の空隙がないベースでの総体積に対して、４０体積％以上の複数のＣｏ２Ｚヘキサフェライト粒子とを含んでなる、前記ヘキサフェライト複合材料を備え、
前記ヘキサフェライト複合材料は、前記ヘキサフェライト複合材料の総体積に対して１０％以上の気孔率を有し、
前記ヘキサフェライト複合材料は、いずれも５００ＭＨｚで測定した場合に、２．５以上の透磁率及び、０．４以上の透磁率と誘電率の比を有し、
前記透磁率及び誘電率は、１インチ（２５ｍｍ）の同軸エアラインで測定され、ベクトルネットワークアナライザを使用して測定された散乱パラメータからニコルソン・ロス法で抽出される、方法。
【請求項１５】
前記シートの形成の工程がペースト押出し工程からなり、前記方法はシートをカレンダ加工する工程をさらに備える、請求項１４に記載の方法。
【請求項１６】
前記混合物は、分散液又は粉末の形態のポリテトラフルオロエチレンと、複数のＣｏ２Ｚヘキサフェライト粒子と、潤滑剤とを含む、請求項１５に記載の方法。
【請求項１７】
前記シートの形成の工程が流延工程からなり、前記混合物はポリテトラフルオロエチレン及び複数のＣｏ２Ｚヘキサフェライト粒子を含む水性分散体であり、流延後に第１の温度に前記シートを加熱し、第２の温度で前記シートを焼結する工程をさらに備える、請求項１４に記載の方法。
【請求項１８】
前記流延の工程が、前記混合物を布補強材、好適にはガラス布補強材に流延する工程を備える、請求項１７に記載の方法。
【請求項１９】
前記シートを形成する工程が、粒状の前記ポリテトラフルオロエチレンと前記複数のＣｏ２Ｚヘキサフェライト粒子とを混合して前記混合物を形成する工程と、前記混合物を乾式カレンダ加工又は成形のうちの少なくとも１つによってシートを形成する工程とを備える、請求項１４に記載の方法。
【請求項２０】
前記シートの少なくとも１つの表面上に導電層を追加する工程をさらに備える、請求項１４に記載の方法。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
燃焼室（１２）を作動させるための方法（９６）であって、
一酸化炭素センサ（８４）を介して燃焼室（１２）の出口（３６）での一酸化炭素読み取り値を得ること（９８）と、
コントローラ（２２）を介して前記一酸化炭素読み取り値および一酸化炭素設定値（１０２）に少なくとも部分的に基づいて酸素設定値トリムを導出すること（１００）と、
燃焼安定性センサ（８２）を介して前記燃焼室（１２）の安定性状態を決定すること（１０４）と、
前記コントローラ（２２）を介して前記安定性状態に少なくとも部分的に基づいて前記酸素設定値トリムで前記燃焼室（１２）の酸素設定値（１０８）を調整すること（１０６）であって、前記酸素設定値（１０８）は、前記燃焼室（１２）の前記出口（３６）での所望の酸素レベルを定義することと
を含む、方法（９６）。
【請求項２】
前記燃焼安定性センサ（８２）は、火炎安定性センサであり、前記安定性状態は、火炎状態である、請求項１に記載の方法（９６）。
【請求項３】
前記火炎状態は、火炎が前記燃焼室（１２）内に存在することを示す、請求項２に記載の方法（９６）。
【請求項４】
窒素酸化物センサ（８８）を介して前記燃焼室（１２）の前記出口（３６）での窒素酸化物読み取り値を得ること（１１４）と、
前記コントローラ（２２）を介して前記窒素酸化物読み取り値および窒素酸化物設定値（１１８）に少なくとも部分的に基づいて化学量論設定値トリムを導出すること（１１６）と、
前記コントローラ（２２）を介して前記一酸化炭素読み取り値に少なくとも部分的に基づいて前記化学量論設定値トリムで化学量論設定値（１２２）を調整すること（１２０）であって、前記化学量論設定値（１２２）は、前記燃焼室（１２）の所望の化学量論を定義することと
をさらに含む、請求項１乃至３のいずれか１項に記載の方法（９６）。
【請求項５】
前記化学量論設定値（１２２）に少なくとも部分的に基づいて複数の点火ノズル（４２）に各々対応する１つまたは複数の化学量論を調整すること
をさらに含む、請求項４に記載の方法（９６）。
【請求項６】
前記一酸化炭素読み取り値および一酸化炭素設定値（１０２）に少なくとも部分的に基づいて酸素設定値トリムを導出すること（１００）は、予測モデル（１５８）に少なくとも部分的に基づく、請求項１乃至５のいずれか１項に記載の方法（９６）。
【請求項７】
前記予測モデル（１５８）は、前記燃焼室（１２）の前記出口（３６）での前記一酸化炭素読み取り値、前記燃焼室（１２）の前記出口（３６）での窒素酸化物読み取り値、および前記燃焼室（１２）によって生成された蒸気（１６０）の温度の１つに少なくとも部分的に基づく、請求項６に記載の方法（９６）。
【請求項８】
前記安定性状態は、圧力測定基準（２００）、火炎安定性測定基準（２０２）、および火球測定基準（２０４）に少なくとも部分的に基づく火球安定性指数（２０６）である、請求項１乃至７のいずれか１項に記載の方法（９６）。
【誤訳訂正書】
【提出日】令和3年9月13日(2021.9.13)
【誤訳訂正１】
【訂正対象書類名】明細書
【訂正対象項目名】０００４
【訂正方法】変更
【訂正の内容】
【０００４】
前記技術的課題を解決するため、本発明は顔部マッサージ装置を提供する。前記顔部マッサージ装置は上部カバーと下部カバーを含み、前記上部カバーと下部カバーにより形成される空間内には制御回路が取り付けられている。前記顔部マッサージ装置は、上部カバーと下部カバーの内側と外側にそれぞれ両端が配置されたマッサージ爪部と、制御回路に電気接続されかつマッサージ爪部が回転するように駆動する駆動モーターとを更に含み、駆動モーターが１個である場合、２個のマッサージ爪部の間には駆動モーターに連結されかつ２個のマッサージ爪部が同期して逆方向に回転するように駆動する伝動構造が設けられる。駆動モーターが２個である場合、マッサージ爪部と駆動モーターは１つずつ連結され、２個の駆動モーターは２個のマッサージ爪部が同期して逆方向に回転するように駆動する。
【誤訳訂正２】
【訂正対象書類名】明細書
【訂正対象項目名】０００７
【訂正方法】変更
【訂正の内容】
【０００７】
本発明の実施例において、前記マッサージ爪部は、上部カバーおよび下部カバーの外側に位置しているマッサージ端部と、上部カバーおよび下部カバー内に位置している固定端部とを含み、前記固定端部は上部カバーと下部カバーとの間に形成される固定孔に挿入され、第一受動歯車と第三受動歯車に連結される。
【誤訳訂正３】
【訂正対象書類名】明細書
【訂正対象項目名】００１５
【訂正方法】変更
【訂正の内容】
【００１５】
本発明の顔部マッサージ装置は上部カバーと下部カバーを含み、前記上部カバーと下部カバーにより形成される空間内には制御回路が取り付けられている。前記顔部マッサージ装置は、上部カバーと下部カバーの内側と外側にそれぞれ両端が配置されたマッサージ爪部と、制御回路に電気接続されかつマッサージ爪部が回転するように駆動する駆動モーターとを更に含む。駆動モーターが１個である場合、２個のマッサージ爪部の間には駆動モーターに連結されかつ２個のマッサージ爪部が同期して逆方向に回転するように駆動する伝動構造が設けられる。駆動モーターが２個である場合、マッサージ爪部と駆動モーターは１つずつ連結され、２個の駆動モーターは２個のマッサージ爪部が同期して逆方向に回転するように駆動する。前記顔部マッサージ装置を使用するとき、駆動モーターと伝動構造との間の協力により２個のマッサージ爪部が同期して逆方向に回転するように駆動することができる。マッサージ爪部と顔部が接触するとき、２個のマッサージ爪部の回転を制御することによりマッサージ爪部を適当な位置まで回転させた後、顔部に対してマッサージをすることによりマッサージの快適性を向上させることができる。各マッサージ部の面積が小さいことにより、顔部の各区域を有効にマッサージし、使用者の要求を満たすことができる。
【誤訳訂正４】
【訂正対象書類名】明細書
【訂正対象項目名】００２０
【訂正方法】変更
【訂正の内容】
【００２０】
前記顔部マッサージ装置は上部カバー１と下部カバー（図示せず）を含み、前記上部カバー１と下部カバーにより形成される空間内には制御回路が取り付けられる。前記顔部マッサージ装置は、上部カバー１と下部カバーの内側と外側にそれぞれ両端が配置されたマッサージ爪部５と、制御回路に電気接続されかつマッサージ爪部が回転するように駆動する駆動モーター３とを更に含む。駆動モーター３が１個である場合、２個のマッサージ爪部５の間には、駆動モーター３に連結されかつ２個のマッサージ爪部５を同期して逆方向に回転するように駆動する伝動構造が設けられる。駆動モーター３が２個である場合、マッサージ爪部５と駆動モーター３は１つずつ連結され、２個の駆動モーター３は２個のマッサージ爪部５を同期して逆方向に回転するように駆動する。
【誤訳訂正５】
【訂正対象書類名】明細書
【訂正対象項目名】００２１
【訂正方法】変更
【訂正の内容】
【００２１】
具体的に、前記制御回路として従来の手段を採用することができ、前記制御回路は通常、回路基板上に取り付けられる。前記顔部マッサージ装置内には制御回路と駆動モーター３に電力を供給するバッテリー２が更に取り付けられているが、需要により外部電気により制御回路と駆動モーター３に電力を供給することもできる。前記上部カバー１と下部カバーには制御回路に電気接続される制御ボタン（図示せず）が取り付けられている。前記マッサージ爪部５は、上部カバーおよび下部カバーの外側に位置しているマッサージ端部と、上部カバーおよび下部カバー内に位置している固定端部とを含む。前記固定端部は上部カバー１と下部カバーとの間に形成される固定孔（図示せず）に挿入されかつ第一受動歯車６と第三受動歯車８に連結される。
【誤訳訂正６】
【訂正対象書類名】明細書
【訂正対象項目名】００２６
【訂正方法】変更
【訂正の内容】
【００２６】
必要に応じて、前記固定端部に上部カバー１および下部カバーと協働する環形の固定溝５１が設けられている。上部カバーと下部カバーを結合させたとき、上部カバーと下部カバーとの間に形成される固定孔（図示せず）が、環形の固定溝５１に正確に配置されることによりマッサージ爪部５を固定し、マッサージ爪部５と上部カバーとの間の隙間およびマッサージ爪部５と下部カバーとの間の隙間が大きいことにより、作動時大きいノイズが生ずることを防止することができる。
【誤訳訂正７】
【訂正対象書類名】明細書
【訂正対象項目名】００２７
【訂正方法】変更
【訂正の内容】
【００２７】
必要に応じて、前記マッサージ爪部５の表面には導電層（図示せず）が設けられ、前記導電層はそれぞれ制御回路の正極と負極に電気接続されている。２個のマッサージ爪部５が顔部と接触するとき、２個のマッサージ爪部５の間の皮膚に電流が流れ、皮膚を刺激し、皮膚の新陳代謝を促進し、よりよいマッサージの効果を獲得することができる。下記構造によりマッサージ爪部５の表面に帯電させることもできる。すなわち制御回路に電気接続される２個の弾性片が提供され、各弾性片は、マッサージ爪部５の表面に形成される導電層と接触している。下記構造によりマッサージ爪部５の表面に帯電させることもできる。すなわち前記固定溝５１内には、マッサージ爪部５の表面に形成される導電層と電気的に接続された電気接触部（図示せず）が設けられ、前記固定孔の内壁には電気接触部と接続される電気接点が設けられ、前記電気接点は制御回路に電気的に接続されている。その構造によりマッサージ爪部５が任意の角度で回転するとき、２個のマッサージ爪部５が帯電状態にあることが保証され得る。
【手続補正書】
【提出日】令和3年11月12日(2021.11.12)
【手続補正１】
【補正対象書類名】明細書
【補正対象項目名】００１２
【補正方法】変更
【補正の内容】
【００１２】
発明の概要
この設備は、目標量の除染剤をコンテインメント内に導入するように設定されている。設備には、液状の除染剤を供給するための貯蔵容器としてのタンクと、コンテインメント内へ向けられた、除染剤を霧化するためのスプレノズルを有する配量装置とが付属する。配量装置を運転するために制御装置及び圧縮空気接続部が設けられている。配量装置は、配量容器を有し、配量容器は、個々の分量の除染剤を収容するための所定の容積を有する蓄積室を具備する。蓄積室は、タンクから分量数の除染剤が逐次充填されるように用いられ、他方、蓄積室にその都度含まれる分量は、次の分量が収容される前に、スプレノズルによってコンテインメント内に導入されるように設けられている。分量数は、必要とされる目標量の除染剤を得るために、１と１の整数倍との間で選択可能である。
【手続補正２】
【補正対象書類名】明細書
【補正対象項目名】００３９
【補正方法】変更
【補正の内容】
【００３９】
図５（設備の第５の形態）
第４の形態に関連して、第５アクチュエータ３５及び送り装置７は省略され、これらの部品の代わりに、ここでは第２のアクチュエータ３２が組み付けられている。第２のアクチュエータ３２には、制御装置８から、制御ライン８９が通じ、そして周囲空気Ｕから、物質ライン１９が、第２の接続点１２を通って、第１の安全要素６１と第７のアクチュエータ３７とを介して通じる。調整可能な第７のアクチュエータ３７によって、蓄積室２０を空にするとき、補充される空気の調整が行われる。蓄積室２０の充填を示すための第１のセンサ５１と第２のアクチュエータ３２との間には、ここでは第２の安全要素６２が位置決めされている。さらに、第２のアクチュエータ３２から分岐する物質ライン１９の、スプレノズル１８に通じる物質ライン１９への開口部と、スプレノズル１８との間には、第３のセンサ５３が取り付けられていて、第３のセンサ５３は、除染剤が存在しないとき、特に配量容器２からの分量がスプレノズル１８を介して処理されていることをシグナリングする。
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
デカールテープを保持し、タイヤユニフォミティマーキングステーションで用いられ、前記デカールテープからのデカールをタイヤの表面に移すデカールマーカーであって、
撤退位置とマーキング位置との間で移動可能なマーキングアセンブリフレームと、
前記デカールテープを保持して、前記マーキングアセンブリフレームによって保持されたマーカーと、
前記表面への移送のために前記マーカーが前記デカールを適切に位置決めするように、前記デカールの縁部を検出するべく前記マーカーによって保持されたテープセンサアセンブリと、
を備えたことを特徴とするデカールマーカー。
【請求項２】
前記マーカーは、ヒータと、前記ヒータに結合されたマーカーボタンと、を有し、
前記ヒータ及び前記マーカーボタンは、前記マーカーによって保持され、前記デカールが適切に位置決めされる時に起動される
ことを特徴とする請求項１に記載のデカールマーカー。
【請求項３】
前記デカールテープを保持するテープロールを受け入れるために前記マーカーによって維持されるスピンドルと、
前記マーカーによって維持される巻取りロールと、
を更に備え、
前記巻取りロールは、前記テープロールから前記デカールテープを巻き出して前記マーカーボタンを通過させる
ことを特徴とする請求項２に記載のデカールマーカー。
【請求項４】
前記テープセンサアセンブリに接続された制御システムと、
前記巻取りロールに結合され、前記制御システムに接続されたモータと、
を更に備え、
前記モータは、前記巻取りロールを所定量だけ回転させ、前記デカールが作動時に前記マーカーボタンの下方に適切に位置決めされる
ことを特徴とする請求項３に記載のデカールマーカー。
【請求項５】
前記マーカーは、前記テープセンサアセンブリの摺動可能な位置調整を許容する少なくとも１つのスロットを有する少なくとも１つのプレートを有する
ことを特徴とする請求項３に記載のデカールマーカー。
【請求項６】
前記テープセンサアセンブリは、送信器と、受信器と、を有しており、
前記送信器と前記受信器との両方が、前記制御システムに接続されており、
前記送信器と前記受信器とが、前記デカールの縁部を検出し、
前記制御システムは、前記巻取りロールを前記所定量だけ移動させる
ことを特徴とする請求項５に記載のデカールマーカー。
【請求項７】
デカールテープ及びマーキングテープを交換可能に保持し、マーキングステーションで用いられ、前記デカールテープからのデカールをマーキングするべき表面に移すデカールマーカーであって、
マーキングアセンブリフレームと、
前記デカールテープまたは前記マーキングテープを保持して、前記マーキングアセンブリフレームによって保持された少なくとも１つのマーカーと、
前記表面への移送のために前記少なくとも１つのマーカーが前記デカールを適切に位置決めするように、前記デカールの縁部を検出するべく前記少なくとも１つのマーカーによって保持されたテープセンサアセンブリと、
を備えたことを特徴とするデカールマーカー。
【請求項８】
前記少なくとも１つのマーカーは、ヒータと、前記ヒータに結合されたマーカーボタンと、を有し、
前記マーカーボタンは、前記マーカーによって保持され、前記デカールまたは前記マーキングテープのいずれかが適切に位置決めされる時に起動される
ことを特徴とする請求項７に記載のデカールマーカー。
【請求項９】
前記デカールテープまたは前記マーキングテープのいずれかを保持するテープロールを受け入れるために前記マーカーによって維持されるスピンドルと、
前記マーカーによって維持される巻取りロールと、
を更に備え、
前記巻取りロールは、前記テープロールから前記デカールテープまたは前記マーキングテープのいずれかを巻き出して前記マーカーボタンを通過させる
ことを特徴とする請求項８に記載のデカールマーカー。
【請求項１０】
前記少なくとも１つのマーカーは、更に、
前記ヒータ及び前記マーカーボタンを保持するハウジングと、
前記ハウジングによって維持される直線ギヤと、
を有しており、
前記ハウジングは、直線的に移動可能であり、
前記少なくとも１つのマーカーは、前記直線ギヤと係合する平歯車を保持して、当該平歯車の回転が前記巻取りロールを回転させて前記テープロールから前記マーキングテープを巻き出す、というように構成可能であり、
前記少なくとも１つのマーカーは、前記巻取りロールに結合されたモータを保持するように構成可能であり、
前記モータは、前記巻取りロールを所定量だけ回転させ、前記テープロールから前記デカールテープを巻き出し、前記デカールが作動時に前記マーカーボタンの下方に適切に位置決めされる
ことを特徴とする請求項９に記載のデカールマーカー。
【請求項１１】
前記テープセンサアセンブリに接続された制御システム
を更に備え、
前記モータは、前記制御システムに接続され、前記巻取りロールを前記所定量だけ回転させる
ことを特徴とする請求項１０に記載のデカールマーカー。
【請求項１２】
前記少なくとも１つのマーカーは、前記テープセンサアセンブリの摺動可能な位置調整を許容する少なくとも１つのスロットを有する少なくとも１つのプレートを有する
ことを特徴とする請求項１１に記載のデカールマーカー。
【請求項１３】
前記テープセンサアセンブリは、送信器と、受信器と、を有しており、
前記送信器と前記受信器との両方が、前記制御システムに接続されており、
前記送信器と前記受信器とが、前記デカールの縁部を検出し、
前記制御システムは、前記巻取りロールを前記所定量だけ移動させる
ことを特徴とする請求項１２に記載のデカールマーカー。
【手続補正書】
【提出日】令和3年6月14日(2021.6.14)
【手続補正１】
【補正対象書類名】明細書
【補正対象項目名】００９７
【補正方法】変更
【補正の内容】
【００９７】
本開示の第２４の態様は、希釈剤が、５ｖｏｌ．％〜３０ｖｏｌ．％の水素を含む、第１〜第２３の態様のいずれかを含み得る。
以下、本発明の好ましい実施形態を項分け記載する。
実施形態１
炭化水素の脱水素に有用な触媒系であって、
少なくともシリコンおよび亜鉛を取り込んだＭＦＩフレームワークタイプの構造を含むジンコシリケート担体材料と、
１つ以上のアルカリまたはアルカリ土類金属と、
１つ以上の白金族金属と、
を含む、触媒系。
実施形態２
前記ＭＦＩフレームワークタイプの構造における亜鉛対シリコンのモル比が、１：３０〜１：５である、実施形態１に記載の触媒系。
実施形態３
前記ジンコシリケート担体が、そのフレームワーク構造内に少なくとも９５重量％のシリコン、亜鉛、および酸素を含む、実施形態１または２に記載の触媒系。
実施形態４
前記１つ以上のアルカリまたはアルカリ土類金属が、Ｋ、Ｎａ、またはＣｓから選択される、実施形態１〜３のいずれかに記載の触媒系。
実施形態５
前記触媒系が、前記触媒系の０．１重量％〜３重量％の総量で前記アルカリまたはアルカリ土類金属を含む、実施形態１〜４のいずれかに記載の触媒系。
実施形態６
触媒系を作製するための方法であって、
ジンコシリケート担体材料に１つ以上のアルカリまたはアルカリ土類金属を導入することと、
前記ジンコシリケート担体材料に１つ以上の白金族金属を導入することと、
を含み、
前記ジンコシリケート担体材料が、少なくともシリコンおよび亜鉛を取り込んだＭＦＩフレームワークタイプの構造を含む、方法。
実施形態７
前記１つ以上のアルカリまたはアルカリ土類金属および前記１つ以上の白金族金属が、前記ジンコシリケート担体材料に同時に導入される、実施形態６に記載の方法。
実施形態８
前記１つ以上のアルカリまたはアルカリ土類金属および前記１つ以上の白金族金属が、前記ジンコシリケート担体材料に異なる時間に導入される、実施形態６または７に記載の方法。
実施形態９
少なくともシリコン前駆体材料、亜鉛前駆体材料、および溶媒を組み合わせて、前駆体混合物を形成することと、
前記前駆体混合物を結晶化して、前記ジンコシリケート担体材料を形成することと、を含む方法によって、前記ジンコシリケート担体材料を産生することをさらに含む、実施形態６〜８のいずれかに記載の方法。
実施形態１０
前記前駆体混合物が、構造指向剤をさらに含む、実施形態６〜９のいずれかに記載の方法。
実施形態１１
１つ以上の反応炭化水素を脱水素するための方法であって、前記方法が、
前記１つ以上の反応炭化水素を触媒系と接触させて、前記反応炭化水素の少なくとも一部分を脱水素することを含み、前記触媒系が、
少なくともシリコンおよび亜鉛を取り込んだＭＦＩフレームワークタイプの構造を含むジンコシリケート担体材料と、
１つ以上のアルカリまたはアルカリ土類金属と、
１つ以上の白金族金属と、
を含む、方法。
実施形態１２
前記反応炭化水素が、ｎ−ブタン、ｎ−ペンタン、またはｎ−ヘキサンのうちの１つ以上を含む、実施形態１１に記載の方法。
実施形態１３
前記反応炭化水素を脱水素するための方法が、少なくとも３０ｍｏｌ％のｎ−ブテン、ｎ−ペンテン、またはｎ−ヘキセンの選択性をもたらす、実施形態１２に記載の方法
実施形態１４
前記反応炭化水素を脱水素するための方法が、少なくとも２０ｍｏｌ％のｎ−ブテン、ｎ−ペンテン、またはｎ−ヘキサンの収率をもたらす、実施形態１２に記載の方法
実施形態１５
前記反応炭化水素が希釈剤と混合され、前記希釈剤が、水素、蒸気、メタン、アルゴン、窒素、またはそれらの混合物を含む、実施形態１１〜１４のいずれかに記載の方法。